(57)【要約】【課題】根を有する生花を用いることができ、長期間に渡って美しく生花をお供えすることができる墓用花立構造体を提供する。【解決手段】水Ｗを貯めるための有底状水収容孔部１を有する花立本体２と、花立本体２に載置される土収納筒体３とを、備える。土収納筒体３が、土Ｓを収納するための大径孔部４を有する上方の大径筒部５と、水収容孔部１に挿入される小径孔部６を有する下方の小径筒部７とを、備える。大径孔部４と小径孔部６とを区画する段付部８に、小径孔部６を施蓋して土Ｓを下方へ落ちないように保持するための土保持薄片９が載置されるとともに、土保持薄片９から垂下して水収容孔部１に貯めた水Ｗを吸い上げるための吸水性帯状布体11を、土保持薄片９に取着する。【選択図】図１
2018130033.tif 000002
【特許請求の範囲】
【請求項１】
水（Ｗ）を貯めるための有底状水収容孔部（１）を有する花立本体（２）と、該花立本体（２）に載置される土収納筒体（３）とを、備え、
上記土収納筒体（３）が、土（Ｓ）を収納するための大径孔部（４）を有する上方の大径筒部（５）と、上記水収容孔部（１）に挿入される小径孔部（６）を有する下方の小径筒部（７）とを、備え、
上記大径孔部（４）と小径孔部（６）とを区画する段付部（８）に、上記小径孔部（６）を施蓋して土（Ｓ）を下方へ落ちないように保持するための土保持薄片（９）が載置されるとともに、該土保持薄片（９）から垂下して上記水収容孔部（１）に貯めた水（Ｗ）を吸い上げるための吸水性帯状布体（11）を、上記土保持薄片（９）に取着したことを特徴とする墓用花立構造体。
【請求項２】
上記土収納筒体（３）が、上記水収容孔部（１）内のガス（Ｇ）を外部へ放出するためのガス抜き孔（13）を有する請求項１記載の墓用花立構造体。
【発明の詳細な説明】
【技術分野】
【０００１】
本発明は、墓用花立構造体に関する。
【背景技術】
【０００２】
一般に、墓用花立構造体としては、有底状水収容孔部を有する四角柱状石材製花立本体に水を収容し、これに切り花を挿していた。
【０００３】
しかし、上記水収容孔部の容積は小さく、かつ、切り花は日持ちせず、すぐに枯れて見苦しくなるという欠点があった。特に、夏場は、２、３日しか持たない。冬でも10日程度で花が枯れる。また、花が枯れた際、水が腐って臭くなるという欠点もあった。
そこで、従来、収容される水量を増加させるためにプラスチック製で大きな水槽部を形成した墓用花立構造体が提案されている（例えば、特許文献１参照）。
しかしながら、夏場の切り花は、水が十分に残っていても、強い太陽光線によって数日で枯れ、しかも、切り花の枯れた茎・葉と共に水が腐って、異臭を発するという問題は解決されない。
【先行技術文献】
【特許文献】
【０００４】
【特許文献１】特開２００４−１５４３９７号公報
【発明の概要】
【発明が解決しようとする課題】
【０００５】
解決しようとする課題は、切り花が日持ちせず、すぐに枯れて見苦しくなる点である。また、花が枯れた際、水が腐って異臭を発する点である。
【課題を解決するための手段】
【０００６】
そこで、本発明に係る墓用花立構造体は、水を貯めるための有底状水収容孔部を有する花立本体と、該花立本体に載置される土収納筒体とを、備え、上記土収納筒体が、土を収納するための大径孔部を有する上方の大径筒部と、上記水収容孔部に挿入される小径孔部を有する下方の小径筒部とを、備え、上記大径孔部と小径孔部とを区画する段付部に、上記小径孔部を施蓋して土を下方へ落ちないように保持するための土保持薄片が載置されるとともに、該土保持薄片から垂下して上記水収容孔部に貯めた水を吸い上げるための吸水性帯状布体を、上記土保持薄片に取着したものである。
また、上記土収納筒体が、上記水収容孔部内のガスを外部へ放出するためのガス抜き孔を有するものである。
【発明の効果】
【０００７】
本発明の墓用花立構造体によれば、根を有する生花（根付の植物）を用いることができるので、長期間に渡って美しく生花をお供えすることができる。また、水が腐って臭くなるということもない。夏にも生花を長持ちさせることができる。
【図面の簡単な説明】
【０００８】
【図１】本発明の実施の一形態の使用状態を示す断面正面図である。
【発明を実施するための形態】
【０００９】
以下、図示の実施の形態に基づいて本発明を詳説する。
図１は、本発明の墓用花立構造体の実施の一形態の使用状態を示す。この墓用花立構造体は、根を有する生花（例えば、葉ボタン、菊、スイセン、パンジー、ケイトウ等の植物）Ｆを墓前にお供えすることが可能である。つまり、水Ｗを貯めるための有底状水収容孔部１を有する花立本体２と、花立本体２に載置される土収納筒体３とを、備える。花立本体２は、例えば、石から成る。土収納筒体３は、例えば、石、陶器、プラスチックから成る。土Ｓは、例えば、赤玉、鹿沼土、軽石などの腐りにくい土Ｓを収納するのが望ましい。水収容孔部１の容積を１リットル以上に設定する。この場合、多量の水Ｗを活用することができ、長期間にわたって、水Ｗを（後述の帯状布体11によって吸い上げて）土Ｓに補給して、根を有する生花Ｆを長持ちさせることができる。
【００１０】
土収納筒体３が、土Ｓを収納するための大径孔部４を有する上方の大径筒部５と、水収容孔部１に挿入される小径孔部６を有する下方の小径筒部７とを、備える。大径孔部４と小径孔部６とを区画する段付部８に、小径孔部６を施蓋して土Ｓを下方へ落ちないように保持するための土保持薄片９が載置される。土保持薄片９は、水Ｗとガス（空気）Ｇを通すために、小孔10を有する。土保持薄片９は、例えば、スノコ、多数孔付膜体、ネット等である。
【００１１】
土保持薄片９から垂下して水収容孔部１に貯めた水Ｗを吸い上げるための吸水性（親水性）帯状布体11が、土保持薄片９に取着される。帯状布体11は、例えば、幅約 1.0cm〜３cmのフェルト等の不織布、あるいは、吸水性に優れたガーゼ状の織布等である。帯状布体11が、毛細管現象で水Ｗを吸い上げる。このような帯状布体11の材質と幅寸法を、適宜設定することで、吸い上げる水の（一定時間当たりの）量を所望値に調節することが可能となる。つまり、吸い上げられる水が過分となると植物Ｆには良くないし、逆に、吸い上げられる水が少ないと、夏場（快晴つづき）では早期に枯れてしまうが、このような問題を、本発明では解決している。水Ｗを生花Ｆ及び土Ｓとは離間させる構成なので、水Ｗが腐るのを防止することができる。なお、10日以上の長期間にわたれば植物Ｆの根が下方へ伸びて水Ｗに到達する場合もあるが、生きた根であれば、水Ｗは腐らない。帯状布体11の垂下長さ寸法は、水収容孔部１の底部12に余裕をもって達する程度の長さ寸法（水収容孔部１の底部12に達する長さ以上の長さ寸法）とするのが好ましい。この場合、水Ｗが少なくなった際にも、水Ｗを最後まで吸い上げることができる。
【００１２】
土収納筒体３が、水収容孔部１内のガスＧを外部へ放出するためのガス抜き孔13を有する。図１では、ガス抜き孔13を、土保持薄片９の下方の近傍に貫設している。具体的には、図１では、大径筒部５と小径筒部７とを連結する連結壁部14に、ラジアル方向の１本以上の直径３mm〜８mmの小径孔部を貫設して、上記ガス抜き孔13とする。
【００１３】
なお、本発明は、設計変更可能であって、例えば、大径筒部５と小径筒部７とを連結する連結壁部14の下面15を、ラジアル外方上傾状のテーパ面とするも良い。
【００１４】
また、大径孔部４、及び、小径孔部６の横断面形状を、多角形（例えば四角形）とするも良い。この場合、「大径」とは、横断面面積が大きいことを意味するものとし、「小径」とは、横断面面積が小さいことを意味するものとする。また、大径筒部５、及び、小径筒部７の横断面外形形状を、多角形（例えば四角形）とするも良い。この場合、「大径」とは、横断面の外形によって囲まれた部分の面積が、大きいことを意味するものとし、「小径」とは、横断面の外形によって囲まれた部分の面積が、小さいことを意味するものとする。
【００１５】
ところで、従来の四角柱状石材製花立本体の有底状水収容孔部の内径は、40mm〜60mm程度であったのに対し、本発明（図１）の水収容孔部１の内径は、80mm〜 110mmと大径として、十分な水量を貯えることを可能とし、もって、一層長期間に渡って、（根付き）植物Ｆを生き生きとお供えすることができる。
【００１６】
さらに、花立本体２が、水収容孔部１内の水Ｗを抜くための孔部を底部12近傍に有し、孔部に着脱自在な栓を嵌着するも良い（図示省略）。
【００１７】
以上のように、本発明は、水Ｗを貯めるための有底状水収容孔部１を有する花立本体２と、該花立本体２に載置される土収納筒体３とを、備え、上記土収納筒体３が、土Ｓを収納するための大径孔部４を有する上方の大径筒部５と、上記水収容孔部１に挿入される小径孔部６を有する下方の小径筒部７とを、備え、上記大径孔部４と小径孔部６とを区画する段付部８に、上記小径孔部６を施蓋して土Ｓを下方へ落ちないように保持するための土保持薄片９が載置されるとともに、該土保持薄片９から垂下して上記水収容孔部１に貯めた水Ｗを吸い上げるための吸水性帯状布体11を、上記土保持薄片９に取着したので、根を有する生花（植物）Ｆを用いることができて、長期間に渡って生花Ｆを生き生きとお供えすることができる。また、水収容孔部１に貯めた水Ｗと、生花Ｆ・土Ｓとが、離間し、土Ｓの中の生花Ｆの根を腐らせない。又は、生花Ｆの根のみが伸びて水Ｗに到達して、水Ｗが腐って臭くなるということもない。夏にも生花Ｆを長持ちさせることができる。冬だと根付きの生花Ｆが２〜３か月の間、生き生きとお供えできる。
【００１８】
また、雨が適度に降る季節（天候）に於ては、外部から人の手で水をやらなくても、雨水が土Ｓを適度に湿らせて長い期間、植物Ｆを生き生き保つことができる。特に、雨が多く降った際、雨水は土保持片９を通して、水収容孔部１へ流下し、土Ｓと、植物Ｆの根が水に長く浸ってしまって根が腐ることがないので、一層、植物Ｆが長持ちすることとなる。また、大雨等で水収容孔部１へ多量の水が流下したとしても、花立本体２と土収納筒体３とは別体であるので、その当接載置部から余分な水が流出し、土Ｓが水漬けとなることを防止できて、植物Ｆの根が腐ったり、成長不良を起こさない。
【００１９】
また、上記土収納筒体３が、上記水収容孔部１内のガスＧを外部へ放出するためのガス抜き孔13を有するので、水Ｗから発生するガスＧが溜らない。従って、土収納筒体３に植えられた植物Ｆの根が腐らず、長く生き生きと保ち得る。また、水Ｗが臭くなるのを防止することができる。さらには、大雨等で水収容孔部１へ多量の水が流下したとしても、水収容孔部１に溜まった水が、ガス抜き孔13から排出される。
【符号の説明】
【００２０】
１  （有底状）水収容孔部
２  花立本体
３  土収納筒体
４  大径孔部
５  大径筒部
６  小径孔部
７  小径筒部
８  段付部
９  土保持薄片
11  （吸水性）帯状布体
13  ガス抜き孔
Ｇ  ガス
Ｓ  土
Ｗ  水
【図１】
2018130033.tif 000003